(57)【要約】【課題】貯湯タンクに貯えた熱エネルギーを有効に利用することのできる給湯装置を提供する。【解決手段】貯湯タンク１０内に、熱交換器１５ａにおいて浴槽１６ａの温水と熱交換した後の第２の循環回路１５を流通する中温水を収容可能な中温水収容部１０ｂを設けたので、中温水収容部１０ｂに収容された中温水を給湯用の温水として常に利用することができ、貯湯タンク１０に貯えた熱エネルギーを有効に利用することが可能となる。【選択図】図４
2007178063.tif 000002
【特許請求の範囲】
【請求項１】
給湯用の水を貯えるための貯湯タンクと、貯湯タンクに貯えられた水を加熱する加熱部と、貯湯タンク内の高温水を貯湯タンク外に流通させた後に貯湯タンクに流入させる循環回路と、循環回路を流通する高温水と他の被加熱流体とを熱交換する熱交換器とを備えた給湯装置において、
前記貯湯タンク内に、熱交換器において被加熱流体と熱交換した後の循環回路を流通する中温水を収容可能な中温水収容部を設けた
ことを特徴とする給湯装置。
【請求項２】
給湯用の水を貯えるための貯湯タンクと、貯湯タンクに貯えられた水を加熱する加熱部と、貯湯タンク内の高温水を貯湯タンク外に流通させた後に貯湯タンクに流入させる循環回路と、循環回路を流通する高温水と他の被加熱流体とを熱交換する熱交換器とを備えた給湯装置において、
前記貯湯タンク内の上下方向任意の高さに位置する高温水よりも温度の低い中温水を取出し可能な中温水取出手段を備えた
ことを特徴とする給湯装置。
【請求項３】
給湯用の水を貯えるための貯湯タンクと、貯湯タンクに貯えられた水を加熱する加熱部と、貯湯タンク内の高温水を貯湯タンク外に流通させた後に貯湯タンクに流入させる循環回路と、循環回路を流通する高温水と他の被加熱流体とを熱交換する熱交換器とを備えた給湯装置において、
前記貯湯タンク内に、熱交換器において被加熱流体と熱交換した後の循環回路を流通する中温水を収容可能な中温水収容部を設け、
中温水収容部の上下方向任意の高さに位置する中温水を取出し可能な中温水取出手段を備えた
ことを特徴とする給湯装置。
【請求項４】
前記中温水取出手段として、貯湯タンクの側壁に設けられた中温水取出口の内面に一端部が回動自在に接続され、一端部の回動によって他端部が貯湯タンク内を上下方向に旋回移動可能な中温水取出パイプを備えた
ことを特徴とする請求項２記載の給湯装置。
【請求項５】
前記中温水取出手段として、貯湯タンクに設けられた中温水取出口の内面に一端部が接続され、上下方向に伸縮することにより他端部が貯湯タンク内を上下方向に移動可能な中温水取出パイプを備えた
ことを特徴とする請求項２記載の給湯装置。
【請求項６】
前記熱交換器において被加熱流体と熱交換した後の循環回路を流通する中温水を、貯湯タンク内の上下方向任意の高さに位置する中温水の層に流入可能な中温水流入手段を備えた
ことを特徴とする請求項２記載の給湯装置。
【請求項７】
前記中温水流入手段として、貯湯タンクの側壁に設けられた中温水流入口の内面に一端部が回動自在に接続され、一端部の回動によって他端部が貯湯タンク内を上下方向に旋回移動可能な中温水流入パイプを備えた
ことを特徴とする請求項６記載の給湯装置。
【請求項８】
前記中温水流入手段として、貯湯タンクに設けられた中温水流入口の内面に一端部が接続され、上下方向に伸縮することにより他端部が貯湯タンク内を上下方向に移動可能な中温水流入パイプを備えた
ことを特徴とする請求項６記載の給湯装置。
【請求項９】
前記中温水取出手段として、中温水収容部の位置する貯湯タンクの側壁に設けられた中温水取出口の内面に一端部が回動自在に接続され、一端部の回動によって他端部が中温水収容部を上下方向に旋回移動可能な中温水取出パイプを備えた
ことを特徴とする請求項３記載の給湯装置。
【請求項１０】
前記流温水取出手段として、中温水収容部の位置する貯湯タンクに設けられた中温水取出口の内面に一端部が接続され、上下方向に伸縮することにより他端部が貯湯タンク内を上下方向に移動可能な中温水取出パイプを備えた
ことを特徴とする請求項３記載の給湯装置。
【発明の詳細な説明】
【技術分野】
【０００１】
本発明は、加熱部によって加熱した水を貯えるための貯湯タンクを備えた給湯装置に関するものである。
【背景技術】
【０００２】
従来、この種の給湯装置としては、給湯用の水を貯えるための貯湯タンクと、貯湯タンクに貯えられた水を加熱する加熱部と、貯湯タンク内の高温水を貯湯タンク外に流通させた後に貯湯タンクに流入させる循環回路と、循環回路を流通する高温水と他の被加熱流体とを熱交換する熱交換器とを備え、貯湯タンク内に貯えられた高温水を、給湯用として供給する他、熱交換器に流通させることにより浴槽の湯を追い炊きしたり、暖房用の温水を加熱するようにしたものが知られている（例えば、特許文献１参照）。
【０００３】
しかしながら、前記給湯装置において、熱交換器によって放熱した中温水は、貯湯タンクに戻された後に給湯用の温水として利用されず、中温水の有する熱エネルギーは利用されていなかった。
【０００４】
そこで、貯湯タンクの上下方向略中央部に中温水取出口を設け、中温水取出口から中温水を取出して高温水及び給水と混合することにより、中温水を給湯用の温水として利用するようにしたものが知られている。
【特許文献１】特開２００４−２３２９１３号公報
【発明の開示】
【発明が解決しようとする課題】
【０００５】
しかしながら、貯湯タンクの上下方向略中央部に中温水取出口を設けたものでは、貯湯タンクの中温水取出口の高さに中温水の層が位置していない場合に中温水を取出すことができないため、中温水の有する熱エネルギーを利用することができず、結果として貯湯タンクに貯えた熱エネルギーを有効に利用することができないという問題点があった。
【０００６】
本発明は前記問題点に鑑みてなされたものであり、その目的とするところは、貯湯タンクに貯えた熱エネルギーを有効に利用することのできる給湯装置を提供することにある。
【課題を解決するための手段】
【０００７】
本発明は前記目的を達成するために、給湯用の水を貯えるための貯湯タンクと、貯湯タンクに貯えられた水を加熱する加熱部と、貯湯タンク内の高温水を貯湯タンク外に流通させた後に貯湯タンクに流入させる循環回路と、循環回路を流通する高温水と他の被加熱流体とを熱交換する熱交換器とを備えた給湯装置において、前記貯湯タンク内に、熱交換器において被加熱流体と熱交換した後の循環回路を流通する中温水を収容可能な中温水収容部を設けている。
【０００８】
これにより、熱交換器において熱交換した後の循環回路を流通する中温水が中温水収容部に収容されることから、貯湯タンク内の中温水が給湯用の温水として常に利用可能となる。
【０００９】
また、給湯用の水を貯えるための貯湯タンクと、貯湯タンクに貯えられた水を加熱する加熱部と、貯湯タンク内の高温水を貯湯タンク外に流通させた後に貯湯タンクに流入させる循環回路と、循環回路を流通する高温水と他の被加熱流体とを熱交換する熱交換器とを備えた給湯装置において、前記貯湯タンク内の上下方向任意の高さに位置する高温水よりも温度の低い中温水を取出し可能な中温水取出手段を備えている。
【００１０】
これにより、貯湯タンク内の上下方向任意の高さに位置する中温水が取出されることから、貯湯タンク内の中温水が給湯用の温水として常に利用可能となる。
【００１１】
また、給湯用の水を貯えるための貯湯タンクと、貯湯タンクに貯えられた水を加熱する加熱部と、貯湯タンク内の高温水を貯湯タンク外に流通させた後に貯湯タンクに流入させる循環回路と、循環回路を流通する高温水と他の被加熱流体とを熱交換する熱交換器とを備えた給湯装置において、前記貯湯タンク内に、熱交換器において被加熱流体と熱交換した後の循環回路を流通する中温水を収容可能な中温水収容部を設け、中温水収容部の上下方向任意の高さに位置する中温水を取出し可能な中温水取出手段を備えている。
【００１２】
これにより、熱交換器において熱交換した後の循環回路を流通する中温水が中温水収容部に収容されるとともに、中温水収容部の上下方向任意の高さに位置する中温水が取出されることから、貯湯タンク内の中温水が給湯用の温水として常に利用可能となる。
【発明の効果】
【００１３】
本発明によれば、貯湯タンク内の中温水が給湯用の温水として常に利用することができるので、貯湯タンクに貯えた熱エネルギーを有効に利用することが可能となる。
【発明を実施するための最良の形態】
【００１４】
図１乃至図４は本発明の第１の実施形態を示すもので、図１は給湯装置の概略構成図、図２は貯湯タンクの側面断面図及び平面断面図、図３は給湯運転を示す給湯装置の概略構成図、図４は追い炊き運転を示す給湯装置の概略構成図である。
【００１５】
この給湯装置は、給湯用の水を貯えるための貯湯タンク１０と、貯湯タンク１０に貯えられた水を加熱するためのヒートポンプユニット２０とを備え、貯湯タンク１０において貯えられた高温水を、例えば入浴や洗い物等の給湯用の温水として用いる他、浴槽の湯の追い炊きや暖房設備の熱源として用いることが可能となっている。
【００１６】
貯湯タンク１０は、ステンレス等の部材からなり、上端及び下端が閉塞された上下方向に延びる円筒状に形成されている。また、貯湯タンク１０は、グラスウールまたは発泡ウレタン等の断熱材によって外部が覆われており、貯湯タンク１０の内部と外部との熱の移動を遮断するようになっている。更に、図２に示すように、貯湯タンク１０は、内部を上端側を除いて断熱性の高い樹脂などからなる仕切部材１０ａによって仕切ることにより、中温水収容部１０ｂが上下方向に延びるように設けられている。また、貯湯タンク１０には、上下方向に複数の温度検出器１０ｃが設けられ、各温度検出器１０ｃが位置する貯湯タンク１０内の温度をそれぞれ検出することにより、貯湯タンク１０内の残湯量を検出することが可能となっている。
【００１７】
また、貯湯タンク１０には、上水道から給水を貯湯タンク１０に供給するための給水配管１１と、給湯用の温水を浴室や台所などに供給するための給湯配管１２と、中温水収容部１０ｂの温水を給湯配管１２に流入させるための中温水配管１３と、貯湯タンク１０に給水された水をヒートポンプユニット２０において加熱するための第１の循環回路１４と、貯湯タンク１０の高温水によって浴槽の温水を加熱するための第２の循環回路１５が接続されている。
【００１８】
給水配管１１は、貯湯タンク１０の下部に接続されるとともに、給湯配管１２及び後述する湯張り配管に接続されている。また、給水配管１１には、上流側に減圧弁１１ａが設けられ、上水道本管を流通する水を所定の給水圧力に減圧して給水配管１１に流入させるようになっている。
【００１９】
給湯配管１２は、貯湯タンク１０の上部に接続され、貯湯タンク１０の下部から流入する給水の圧力によって上部の高温水が給湯配管１２に流入するようになっている。また、給湯配管１２には、第１の混合弁１２ａを介して中温水配管１３が接続され、第２の混合弁１２ｂを介して給水配管１１が接続されている。更に、給湯配管１２には、第２の混合弁１２ｂの上流側に逆止弁１２ｃが設けられている。
【００２０】
中温水配管１３は、一端側が貯湯タンク１０の中温水収容部１０ｂが位置する側壁に接続され、貯湯タンク１０の下部に流入する給水の圧力によって中温水収容部１０ｂの温水が中温水配管１３に流入するようになっている。また、中温水配管１３は、他端側が第１の混合弁１２ａを介して給湯配管１２に接続されている。
【００２１】
第１の循環回路１４は、貯湯タンク１０の下部、第１の循環ポンプ１４ａ、後述するガスクーラ及び貯湯タンク１０の上部が順次接続され、第１の循環ポンプ１４ａによって貯湯タンク１０の下部の水がガスクーラを流通した後、貯湯タンク１０の上部に流入するようになっている。
【００２２】
第２の循環回路１５は、貯湯タンク１０の上部、第３の循環回路１６を流通する浴槽１６ａの温水を加熱するための熱交換器１５ａ、第２の循環ポンプ１５ｂ及び貯湯タンク１０の中温水収容部１０ｂの下部が順次接続され、第２の循環ポンプ１５ｂによって貯湯タンク１０の上部の高温水が熱交換器１５ａを流通した後、貯湯タンク１０の中温水収容部１０ｂに流入するようになっている。また、第２の循環回路１５には、第２の循環ポンプ１５ｂの吐出側に逆止弁１５ｃが設けられ、逆止弁１５ｃの下流側に第１の開閉弁１５ｄが接続されている。更に、第２の循環回路１５の第１の開閉弁１５ｄと中温水収容部１０ｂとの間には、中温水収容部１０ｂと中温水収容部１０ｂ外の貯湯タンク１０の下部を連通するバイパス配管１７が接続され、バイパス配管１７には、管路を開閉するための第２の開閉弁１７ａが設けられている。
【００２３】
第３の循環回路１６は、浴槽１６ａ、第３の循環ポンプ１６ｂ及び熱交換器１５ａが順次接続され、第３の循環ポンプ１６ｂによって浴槽１６ａの温水が熱交換器１５ａを流通した後、浴槽１６ａに流入するようになっている。また、第３の循環回路１６には、給湯配管１２を流通する温水を浴槽１６ａに流入させるための湯張り配管１８が三方弁１８ａを介して接続されている。
【００２４】
湯張り配管１８は、一端側が給湯配管１２の第１の混合弁１２ａと逆止弁１２ｃとの間に接続され、他端側が第３の循環回路１６に三方弁１８ａを介して接続されている。また、湯張り配管１８には、第３の混合弁１８ｂを介して給水配管１１が接続され、第３の混合弁１８ｂの上流側に逆止弁１８ｃが設けられている。更に、湯張り配管１８には、三方弁１８ａの上流側に逆止弁１８ｄが設けられている。
【００２５】
ヒートポンプユニット２０は、電動の圧縮機２１、加熱部としてのガスクーラ２２、膨張弁２３及び蒸発器２４を備え、これらを銅またはステンレス等からなる冷媒流通用の配管によって順次接続することにより冷媒回路２０ａを構成するようになっている。また、冷媒回路２０ａには、高圧側が超臨界状態となる二酸化炭素が冷媒として充填されている。更に、蒸発器２４には、冷媒と熱交換する空気を流通させるための送風機２４ａが設けられている。
【００２６】
以上のように構成された給湯装置において、深夜電力を利用する通常の貯湯運転や、貯湯タンク１０の残湯量が少ないときの沸き増し運転を行う場合には、第１の循環ポンプ１４ａ及び圧縮機２１のみを運転し、第１の開閉弁１５ｄを閉鎖するとともに、第２の開閉弁１７ａを開放する。これにより、図３に示すように、圧縮機２１から吐出された冷媒は、ガスクーラ２２を流通した後に膨張弁２３を介して蒸発器２４に流入し、蒸発器２４から流出した冷媒は、圧縮機２１に吸入される。また、貯湯タンク１０の下部側の水は、第１の循環ポンプ１４ａによって第１の循環回路１４を流通し、ガスクーラ２２において熱交換することにより高温水となり、貯湯タンク１０の上部側に貯えられる。このとき、中温水収容部１０ｂは、バイパス配管１７によってその他の貯湯タンク１０内と連通しているため、高温水によって満たされる。貯湯タンク１０の高温水の貯湯量が所定の貯湯量になると、第１の循環ポンプ１４ａ及び圧縮機２１を停止して、第１の開閉弁１５ｄ及び第２の開閉弁１７ａを閉鎖する。
【００２７】
貯湯タンク１０の上部側の高温水は、給湯配管１２を流通し、第２の混合弁１２ｂによって給水と混合され、浴室のシャワーや台所の水栓から所定温度の給湯用の温水として供給される。また、貯湯タンク１０の上部側の高温水は、給湯配管１２及び湯張り配管１８を流通し、第３の混合弁１８ｂによって給水と混合され、三方弁１８ａ及び第３の循環回路１６の一部を介して浴槽１６ａにも所定温度の給湯用の温水として供給される。このとき、貯湯タンク１０の高温水が消費されると、給水配管１１の水は貯湯タンク１０の下部側に供給され、貯湯タンク１０は常に満水状態となる。
【００２８】
また、浴槽１６ａの温水を加熱する追い炊き運転を行う場合には、第２の循環ポンプ１５ｂ及び第３の循環ポンプ１６ｂのみを運転し、第１の開閉弁１５ｄを開放するとともに、第２の開閉弁１７ａを閉鎖する。これにより、図４に示すように、熱交換器１５ａにおいて第２の循環回路１５を流通する高温水と第３の循環回路１６を流通する浴槽１６ａの温水とが熱交換することにより、浴槽１６ａの温水を所定温度に加熱することが可能となる。このとき、第２の循環回路１５を流通する高温水は、熱交換器１５ａにおいて熱交換することにより冷却され、高温水よりも温度の低い中温水となり、中温水収容部１０ｂに収容される。
【００２９】
追い炊き運転を行うことにより中温水収容部１０ｂに生じる中温水は、第１の混合弁１２ａを介して給湯配管１２に流入させることにより浴室や台所に供給される。
【００３０】
このように、本実施形態の給湯装置によれば、貯湯タンク１０内に、熱交換器１５ａにおいて浴槽１６ａの温水と熱交換した後の第２の循環回路１５を流通する中温水を収容可能な中温水収容部１０ｂを設けたので、中温水収容部１０ｂに収容された中温水を給湯用の温水として常に利用することができ、貯湯タンク１０に貯えた熱エネルギーを有効に利用することが可能となる。
【００３１】
図５は本発明の第２の実施形態を示す給湯装置の概略構成図である。尚、前記第１の実施形態と同様の構成部分には同一の符号を付して示す。
【００３２】
この給湯装置は、内部が仕切部材１０ａによって仕切られていない貯湯タンク３０と、貯湯タンク３０の任意の高さ位置の中温水を取出すとともに、給湯配管１２に流入させることが可能な中温水配管３１と、貯湯タンク１２の高温水を浴槽１６ａの温水を熱交換した後に貯湯タンク３０の任意の高さ位置に流入させることが可能な第２の循環回路３２を備えている。
【００３３】
中温水配管３１は、一端側が貯湯タンク３０の側壁の上下方向略中央部に設けられた中温水取出口３０ａに接続され、他端側が第１の混合弁１２ａを介して給湯配管１２に接続されている。また、中温水取出口３０ａの貯湯タンク３０内側には、一端部が回転可能に接続され、一端部の回転によって他端部が貯湯タンク３０内を上下方向に旋回移動可能に設けられた中温水取出パイプ３１ａが設けられている。中温水取出パイプ３１ａは、一端側が直角に屈曲する屈曲部を有する配管状の部材からなり、一端部を第１のモータ３１ｂによって回転させることにより他端部を貯湯タンク３０の上下方向任意の位置に移動させることが可能となっている。
【００３４】
第２の循環回路３２は、貯湯タンク３０の上部、熱交換器３２ａ、第２の循環ポンプ３２ｂ及び貯湯タンク３０の側壁の上下方向略中央部に設けられた中温水流入口３０ｂが順次接続され、第２の循環ポンプ３２ｂによって貯湯タンク３０の上部の高温水が熱交換器３２ａを流通した後、貯湯タンク３０の中温水流入口３０ｂから貯湯タンク３０内に流入するようになっている。また、中温水流入口３０ｂの貯湯タンク３０内側には、一端部が回転可能に接続され、一端部の回転によって他端部が貯湯タンク３０内を上下方向に旋回移動可能に設けられた中温水流入パイプ３２ｃが設けられている。中温水流入パイプ３２ｃは、一端側が直角に屈曲する屈曲部を有する配管状の部材からなり、一端部を第２のモータ３２ｄによって回転させることにより他端部を貯湯タンク３０の上下方向任意の位置に移動させることが可能となっている。
【００３５】
以上のように構成された給湯装置において、浴槽１６ａの温水を加熱する追い炊き運転を行う場合には、第２の循環ポンプ３２ｂ及び第３の循環ポンプ１６ｂを運転する。これにより、熱交換器３２ａにおいて第２の循環回路３２を流通する高温水と第３の循環回路１６を流通する浴槽１６ａの温水とが熱交換することにより、浴槽１６ａの温水を所定温度に加熱することが可能となる。このとき、中温水流入パイプ３２ｃの他端部は、貯湯タンク３０内に設けられた上下複数の各温度検出器３０ｃの検出温度から検出される貯湯タンク３０の中温水層に位置するようになっており、熱交換器３２ａにおいて熱交換した後の第２の循環回路３２を流通する中温水は、貯湯タンク３０の中温水層に流入する。
【００３６】
また、中温水取出パイプ３１ａの他端部は、貯湯タンク３０の中温水層に位置するようになっており、浴室や台所に温水を供給する場合に、貯湯タンク３０の中温水は第１の混合弁１２ａを介して給湯配管１２に流入する。
【００３７】
このように、本実施形態の給湯装置によれば、貯湯タンク３０内の上下方向任意の高さに位置する中温水を取出すようにしたので、貯湯タンク３０内の上下方向任意の高さに位置する中温水を給湯用の温水として常に利用することができ、貯湯タンク３０に貯えた熱エネルギーを有効に利用することが可能となる。
【００３８】
また、貯湯タンク３０の側壁に設けられた中温水取出口３０ａの内面に一端部が回動自在に接続され、一端部の回動によって他端部が貯湯タンク３０内を上下方向に旋回移動可能な中温水取出パイプ３１ａを備えたので、中温水取出パイプ３１ａを第１のモータ３１ｂによって回転させる簡単な構造によって貯湯タンク３０内の上下方向任意の高さに位置する中温水を取出すことができ、製造コストの増加を防止することが可能となる。
【００３９】
また、熱交換器３２ａにおいて浴槽１６ａの温水と熱交換した後の第２の循環回路３２を流通する中温水を、貯湯タンク３０内の上下方向任意の高さに位置する中温水の層に流入させるようにしたので、第２の循環回路３２を流通する中温水が貯湯タンク３０の上部に位置する高温水や下部に位置する給水に混入することを防止することができ、高温水の温度の低下や給水の温度の上昇によるエネルギー効率の低下を防止することが可能となる。
【００４０】
また、貯湯タンク３０の側壁に設けられた中温水流入口３０ｂの内面に一端側が回動自在に接続され、一端部の回動によって他端部が貯湯タンク３０内を上下方向に旋回移動可能な中温水流入パイプ３２ｃを備えたので、中温水流入パイプ３２ｃを第２のモータ３２ｄによって回転させる簡単な構造によって、第２の循環回路３２を流通する中温水を貯湯タンク３０内の上下方向任意の高さに位置する中温水の層に流入させることができ、製造コストの増加を防止することが可能となる。
【００４１】
図６は本発明の第３の実施形態を示す給湯装置の概略構成図である。尚、前記第１及び第２の実施形態と同様の構成部分には同一の符号を付して示す。
【００４２】
この給湯装置は、内部が仕切部材１０ａによって仕切られていない貯湯タンク３０と、貯湯タンク３０の任意の高さ位置の中温水を取出すとともに、給湯配管１２に流入させることが可能な中温水配管３３と、貯湯タンク３０の高温水を浴槽１６ａの温水を熱交換した後に貯湯タンク３０の任意の高さ位置に流入させることが可能な第２の循環回路３４を備えている。
【００４３】
中温水配管３３は、一端側が貯湯タンク３０の上部に設けられた中温水取出口３０ａに接続され、他端側が第１の混合弁１２ａを介して給湯配管１２に接続されている。また、中温水取出口３０ａの貯湯タンク３０内側には、上下方向に延びるように設けられ、下端が貯湯タンク３０内を上下方向に移動可能に設けられた中温水取出パイプ３３ａが接続されている。中温水取出パイプ３３ａは、外周面に螺旋状のネジ山が設けられ、上端が中温水取出口３０ａに回転可能に接続された第１の中温水取出パイプ３３ｂと、内周面に第１の中温水取出パイプ３３ｂのネジ山が螺合する溝が設けられ、第１の中温水取出パイプ３３ｂの回転によって上下方向に移動可能に構成された第２の中温水取出パイプ３３ｃとからなる。中温水取出パイプ３３ａは、第１の中温水取出パイプ３３ｂを第１のモータ３３ｄによって回転させることにより、第２の中温水取出パイプ３３ｃの下端を貯湯タンク３０内の上下方向任意の位置に移動させることが可能となっている。
【００４４】
第２の循環回路３４は、貯湯タンク３０の上部、熱交換器３４ａ、第２の循環ポンプ３４ｂ及び貯湯タンク３０の上部に設けられた中温水流入口３０ｂが順次接続され、第２の循環ポンプ３４ｂによって貯湯タンク３０の上部の高温水が熱交換器３４ａを流通した後、貯湯タンク３０の中温水流入口３０ｂから貯湯タンク３０内に流入するようになっている。また、中温水流入口３０ｂの貯湯タンク３０内側には、上下方向に延びるように設けられ、下端が貯湯タンク３０内を上下方向に移動可能に設けられた中温水流入パイプ３４ｃが接続されている。中温水流入パイプ３４ｃは、外周面に螺旋状のネジ山が設けられ、上端が中温水流入口３０ｂに回転可能に接続された第１の中温水流入パイプ３４ｄと、内周面に第１の中温水流入パイプ３４ｄのネジ山が螺合する溝が設けられ、第１の中温水流入パイプ３４ｄの回転によって上下方向に移動可能に構成された第２の中温水流入パイプ３４ｅとからなる。中温水流入パイプ３４ｃは、第１の中温水流入パイプ３４ｄを第２のモータ３４ｆによって回転させることにより、第２の中温水流入パイプ３４ｅの下端を貯湯タンク３０内の上下方向任意の位置に移動させることが可能となっている。
【００４５】
以上のように構成された給湯装置において、浴槽１６ａの温水を加熱する追い炊き運転を行う場合には、第２の循環ポンプ３４ｂ及び第３の循環ポンプ１６ｂを運転する。これにより、熱交換器３４ａにおいて第２の循環回路３４を流通する高温水と第３の循環回路１６を流通する浴槽１６ａの温水とが熱交換することにより、浴槽１６ａの温水を所定温度に加熱することが可能となる。このとき、中温水流入パイプ３４ｃの下端は、各温度検出器３０ｃの検出温度から検出される貯湯タンク３０の中温水層に位置するようになっており、熱交換器３４ａにおいて熱交換した後の第２の循環回路３４を流通する中温水は、貯湯タンク３０の中温水層に流入する。
【００４６】
また、中温水取出パイプ３３ａの下端は、貯湯タンク３０の中温水層に位置するようになっており、浴室や台所に温水を供給する場合に、貯湯タンク３０の中温水は第１の混合弁１２ａを介して給湯配管１２に流入する。
【００４７】
このように、本実施形態の給湯装置によれば、貯湯タンク３０に設けられた中温水取出口３０ａの内面に第１の中温水取出パイプ３３ｂが回転可能に接続され、第１の中温水取出パイプ３３ｂの回転によって第２の中温水取出パイプ３３ｃの下端が貯湯タンク３０内を上下方向に移動可能な中温水取出パイプ３３ａを備えたので、第１の中温水取出パイプ３３ｂを第１のモータ３３ｄによって回転させる簡単な構造によって貯湯タンク３０内の上下方向任意の高さに位置する中温水を取出すことができ、製造コストの増加を防止することが可能となる。
【００４８】
また、貯湯タンク３０に設けられた中温水流入口３０ｂの内面に第１の中温水流入パイプ３４ｄが回動可能に接続され、第１の中温水流入パイプ３４ｄの回転によって第２の中温水流入パイプ３４ｅの下端が貯湯タンク３０内を上下方向に移動可能な中温水流入パイプ３４ｃを備えたので、第１の中温水流入パイプ３４ｄを第２のモータ３４ｆによって回転させる簡単な構造によって、第２の循環回路３４を流通する中温水を貯湯タンク３０内の上下方向任意の高さに位置する中温水の層に流入させることができ、製造コストの増加を防止することが可能となる。
【００４９】
尚、前記第３の実施形態では、中温水取出パイプ３３ａ及び中温水流入パイプ３４ｃを、それぞれ外周面に螺旋状のネジ山が設けられ、上端が中温水取出口３０ａ及び中温水流入口３０ｂに回転可能に接続された第１の中温水取出しパイプ３３ｂ及び第１の中温水流入パイプ３４ｄと、それぞれ内周面に第１の中温水取出パイプ３３ｂ及び第１の中温水流入パイプ３４ｄのネジ山が螺合する溝が設けられ、第１の中温水取出パイプ３３ｂ及び第１の中温水流入パイプ３４ｄの回転によって上下方向に移動可能に構成された第２の中温水取出パイプ３３ｃ及び第２の中温水流入パイプ３４ｅとから構成したものを示したが、第２の中温水取出パイプ３３ｃ及び第２の中温水流入パイプ３４ｅを、それぞれ貯湯タンク３０の外側から磁石等の吸着部材によって吸着し、吸着部材を移動させることにより第１の中温水取出パイプ３３ｂ及び第１の中温水流入パイプ３４ｄに対してそれぞれ上下方向に移動させるようにしてもよい。
【００５０】
図７は本発明の第４の実施形態を示す給湯装置の概略構成図である。尚、前記第１、第２及び第３の実施形態と同様の構成部分には同一の符号を付して示す。
【００５１】
この給湯装置は、貯湯タンク１０の中温水収容部１０ｂの任意の高さ位置の中温水を取出すとともに、給湯配管１２に流入させることが可能な中温水配管３３を備えている。また、中温水収容部１０ｂには、上下方向に複数の温度検出器１０ｄが設けられ、各温度検出器１０ｄが位置する中温水収容部１０ｂの温度をそれぞれ検出することにより、中温水収容部１０ｂの中温水の量を検出することが可能となっている。
【００５２】
以上のように構成された給湯装置において、浴槽１６ａの温水を加熱する追い炊き運転を行う場合には、第２の循環ポンプ１５ｂ及び第３の循環ポンプ１６ｂを運転する。これにより、熱交換器１５ａにおいて第２の循環回路１５を流通する高温水と第３の循環回路１６を流通する浴槽１６ａの温水とが熱交換することにより、浴槽１６ａの温水を所定温度に加熱することが可能となる。このとき、熱交換器１５ａにおいて熱交換した後の第２の循環回路１５を流通する中温水は、貯湯タンク１０の中温水収容部１０ｂに流入する。
【００５３】
また、中温水取出パイプ３３ａの下端は、中温水収容部１０ｂの中温水の層に位置するようになっており、浴室や台所に温水を供給する場合に、貯湯タンク１０の中温水は第１の混合弁１２ａを介して給湯配管１２に流入する。
【００５４】
このように、貯湯タンク１０内に、熱交換器１５ａにおいて浴槽１６ａの温水と熱交換した後の第２の循環回路１５を流通する中温水を収容可能な中温水収容部１０ｂを設け、中温水収容部１０ｂの上下方向任意の高さ位置に位置する中温水を取出すようにしたので、中温水収容部１０ｂに収容された中温水を給湯用の温水として常に利用することができ、貯湯タンク内に貯えた熱エネルギーを有効に利用することが可能となる。
【００５５】
尚、前記第４の実施形態では、上下方向に延びるように設けられた第１の中温水取出パイプ３３ｂと、第１の中温水取出パイプに対して上下方向に移動可能な第２の中温水取出パイプ３３ｃとからなる中温水取出パイプ３３ａを示したが、第２の実施形態に示す、一端部の回転によって他端部が中温水収容部１０ｂを上下方向に旋回移動可能な中温水取出パイプ３１ａを用いても同様に、中温水収容部１０ｂに収容された中温水を給湯用の温水として常に利用することが可能となる。
【図面の簡単な説明】
【００５６】
【図１】本発明の第１の実施形態を示す給湯装置の概略構成図
【図２】貯湯タンクの側面断面図及び平面断面図
【図３】給湯運転を示す給湯装置の概略構成図
【図４】追い炊き運転を示す給湯装置の概略構成図
【図５】本発明の第２の実施形態を示す給湯装置の概略構成図
【図６】本発明の第３の実施形態を示す給湯装置の概略構成図
【図７】本発明の第４の実施形態を示す給湯装置の概略構成図
【符号の説明】
【００５７】
１０…貯湯タンク、１０ａ…仕切部材、１０ｂ…中温水収容部、１３…中温水配管、１５…第２の循環回路、１５ａ…熱交換器、２０…ヒートポンプユニット、２２…ガスクーラ、３０…貯湯タンク、３０ａ…中温水取出口、３０ｂ…中温水流入口、３１…中温水配管、３１ａ…中温水取出パイプ、３２…第２の循環回路、３２ａ…熱交換器、３２ｃ…中温水流入パイプ、３３…中温水配管、３３ａ…中温水取出パイプ、３３ｂ…第１の中温水取出パイプ、３３ｃ…第２の中温水取出パイプ、３４…第２の循環回路、３４ａ…熱交換器、３４ｃ…中温水流入パイプ、３４ｄ…第１の中温水流入パイプ、３４ｅ…第２の中温水流入パイプ。
【図１】
2007178063.tif 000003
【図２】
2007178063.tif 000004
【図３】
2007178063.tif 000005
【図４】
2007178063.tif 000006
【図５】
2007178063.tif 000007
【図６】
2007178063.tif 000008
【図７】
2007178063.tif 000009